(57)【要約】【課題】液体試料の収集やテストに使用される、便利で衛生的な密閉型の試料テスト装置を提供すること。【解決手段】第１密閉端部と第２密閉端部を有する中空の細長い管体と、この管体の第２密閉端部近くに形成された打開手段と、この管体内に配置された指示片を含む。【選択図】図１
0003125744.tif 000002
【実用新案登録請求の範囲】
【請求項１】
中空の細長い管体に、テストに供する試料を収集する装置において、
第１密閉端部と第２密閉端部を有する、中空の細長い管体と、
前記中空の細長い管体の前記第２密閉端部の近くに形成された打開手段と、
前記中空の細長い管体の中に配置された指示片とを含み、
前記打開手段により、前記中空の細長い管体を開放して、この開放された端部から試料を前記中空の細長い管体に収集して、前記指示片でテストすることを特徴とする、
試料テスト装置。
【請求項２】
前記打開手段はさらに１つの密閉端部と１つの開放端部を持つ中空管筒を含み、前記密閉端部の付近には切目線が形成されていて、前記切目線に沿い、或はその附近を折り曲げることにより、前記中空管筒は前記切目線に沿って切断されて開口し、前記中空管筒はその密閉端部と前記切目線と共に、前記中空の細長い管体の端部に挿し込まれた、前記中空の細長い管体の端部を封止し、又は前記中空管筒が前記中空の細長い管体の端部に挿入されたとき、完全に該端部を封止し、又は前記中空管筒と前記中空の細長い管体が前記切目線、或はその付近で折り曲げられた場合、前記中空管筒の密閉端部が切り離されて、前記中空管筒の開放端部から前記指示片への流体通路となるよう、前記中空管筒の前記密閉端部の附近における外径が規約されていることを特徴とする、請求項１に記載の試料テスト装置。
【請求項３】
前記中空管筒の開放端には布はし、または泡沫状尖端が取り付けられ、試料の吸い取りやフィルターの作用をなすことを特徴とする、請求項１に記載の試料テスト装置。
【請求項４】
前記中空管筒の開放端には布はし、または泡沫状尖端が取り付けられ、試料の吸取りやフィルターの作用をなすことを特徴とする、請求項２に記載の試料テスト装置。
【考案の詳細な説明】
【技術分野】
【０００１】
本考案は試料の収集やテストに使用される装置に関するもので、詳しく言えば、液態試料の収集やテストに使用される密閉型の試料テスト装置に関するものである。
【背景技術】
【０００２】
試料は通常収集してテストに供されるもので、収集された試料は往々酸度の測定や妊娠の有無のテストに使われ、試験者がこの収集を司さどる。
試料の収集には圧舌片、または、バルブとピペットなどを利用し、時には注射器を使用して、収集された試料を別の容器に収容する。
【０００３】
試料はまた、真空容器の内の真空で吸引されて、真空容器の中に収集することもある。但し、真空容器内の真空状態は緩慢な空気漏れにより破壊されて、真空容器はその寿命を短縮される。
さらに空気の漏入によるある程度の真空度の喪失により、真空容器はその収容できる合理的な量の試料に比べて、通常大きな容積を必要とするものである。
【０００４】
収集された試料はその後、収集された現場、又はその附近にある携帯式テスト、または指示装置で測定される。
指示片は試料と接触して試料の特性を標示するが、指示片やその他のインジケータは色が変化するので、必ずそれらを隔離された別個の密閉式容器内に保存し、使用後はこれを処理しなければならない。
テストに供された試料やこれを保存した容器も使用後は同様に処理しなければならない。
【考案の開示】
【考案が解決しようとする課題】
【０００５】
本考案目的は、液態試料の収集やテストに使用される、便利な密閉型の試料テスト装置を提供することにある。
【課題を解決するための手段】
【０００６】
上記の目的を達成せんがため、本考案では、第１密閉端部と第２密閉端部を有する、中空の細長い管体と、中空の細長い管体の第２密閉端部付近に形成された打開手段と、該中空の細長い管体の中に配置された指示片とを含む試料収集とテスト用の装置を提供する。
【０００７】
本考案に係る試料テスト装置は組み合わせ式の試料収集とテスト用の装置に属し、打開手段の打開により、この密閉された中空の細長い管体を開放して、その中の空気を圧迫し、管体から排出する。そして、この中空の細長い管体の開放端部をテスト用の試料と接触させて試料を収集した後、該中空の細長い管体に加えられた圧力を釈放してこれを原形に復帰せしめて試料をその開放端部より吸引する。試料は中空の細長い管体内に吸い込まれて指示片と接触し、その特性は指示片の目視により確認されるのである。
【０００８】
すなわち、本願の第１考案は、中空の細長い管体に、テストに供する試料を収集する装置において、第１密閉端部と第２密閉端部を有する、中空の細長い管体と、前記中空の細長い管体の前記第２密閉端部の近くに形成された打開手段と、前記中空の細長い管体の中に配置された指示片とを含み、前記打開手段により、前記中空の細長い管体を開放して、この開放された端部から試料を前記中空の細長い管体に収集して、前記指示片でテストすることを特徴とする、試料テスト装置を提供する。
本願の第２考案は、前記打開手段はさらに１つの密閉端部と１つの開放端部を持つ中空管筒を含み、前記密閉端部の付近には切目線が形成されていて、前記切目線に沿い、或はその附近を折り曲げることにより、前記中空管筒は前記切目線に沿って切断されて開口し、前記中空管筒はその密閉端部と前記切目線と共に、前記中空の細長い管体の端部に挿し込まれた、前記中空の細長い管体の端部を封止し、又は前記中空管筒が前記中空の細長い管体の端部に挿入されたとき、完全に該端部を封止し、又は前記中空管筒と前記中空の細長い管体が前記切目線、或はその付近で折り曲げられた場合、前記中空管筒の密閉端部が切り離されて、前記中空管筒の開放端部から前記指示片への流体通路となるよう、前記中空管筒の前記密閉端部の附近における外径が規約されていることを特徴とする、前記第１考案に記載の試料テスト装置を提供する。
本願の第３考案は、前記中空管筒の開放端には布はし、または泡沫状尖端が取り付けられ、試料の吸い取りやフィルターの作用をなすことを特徴とする、前記第１考案に記載の試料テスト装置を提供する。
本願の第４考案は、前記中空管筒の開放端には布はし、または泡沫状尖端が取り付けられ、試料の吸取りやフィルターの作用をなすことを特徴とする、前記第２考案に記載の試料テスト装置を提供する。
【考案の効果】
【０００９】
本考案に係る試料テスト装置は構造が簡単で、使用上は便利安全で衛生的である。
【考案を実施するための最良の形態】
【００１０】
図１は本考案に係る１つの実施例図である。
この実施例では、本考案の試料テスト装置には１つの中空の細長い管体１を含み、この管体１には第１密閉端部２と第２密閉端部３を備えてあり、第２密閉端部３の付近には打開手段４が設けられている。
さらに１つの指示片５が中空の細長い管体内に設けられているが、これは管体１が開放される前、既に管体１の中に密閉状態に封じ込まれたものである。
【００１１】
打開手段４は１本の中空管筒５より構成されることが望ましい。
この中空管筒５には、１つの密閉端部６と１つの開放端部７があり、密閉端部６の付近には切目線９が形成されていて、この切目線９に沿って、或はその付近を折り曲げれば、中空管筒５は切断されて開口状態となるのである。
【００１２】
裂けた中空管筒５は密閉端部６と切目線９と共に、中空の細長い管体１の第２密閉端部３に挿しこまれ、この密閉端部３を封止するのである。
中空管筒５が中空の細長い管体１の端部３に挿入されたとき完全にこの端部３を封止し、又は、中空管筒５と中空の細長い管体１が切目線９、或はその付近で折り曲げられた場合に、中空管筒５の密閉端部６が切り離されて、中空管筒５の開放端部から中空の細長い管体１の内部に至る流体通路となるように、中空管筒５の密閉端部３付近における外径を規制（制限）しているのである。
【００１３】
又、必要に応じて布はしや泡沫状先端１０を中空管筒５の開放端７に取り付けて、試料の吸い取りやフィルターの作用を果たすこともできる。
【００１４】
打開手段４により、密閉された中空の細長い管体１を開放した後、その中の空気を圧迫して管体５から排出する。
そして、この中空の細長い管体５の開放端部をテスト用の試料と接触させてこれを収集した後、この中空の細長い管体５に加えられた圧力を開放して、管体５を原形に復帰せしめる際、試料をその開放端部より吸引する。
中空の細長い管体１の内部に吸い込まれた試料は指示片５と接触し、その特性は指示片５の目視により確認されるのである。
【００１５】
テストが終了すれば全部の器具を廃棄処分にして、よい衛生状態を保つようにする。
【００１６】
以上の詳細な説明は、本考案の実行可能な実施例についての説明であって、これらの記載は本考案を制限するものではなく、凡そ本考案の技術精神から逸脱しない同等効果が得られる実施、または変更は、全て本考案の請求範囲内に含まれるものである。
【図面の簡単な説明】
【００１７】
【図１】本考案に係わる試料テスト装置の第１実施形態図である。
【符号の説明】
【００１８】
１・・・・・・中空の細長い管体
２・・・・・・第１密閉端部
３・・・・・・第２密閉端部
４・・・・・・打開手段
５・・・・・・中空管筒
６・・・・・・中空管筒の密閉端部
７・・・・・・中空管筒開放端部
９・・・・・・切目線
１０・・・・・布はしまたは泡沫先端
【図１】
0003125744.tif 000003